(57)【特許請求の範囲】
【請求項１】
所定のネットワークを介してユーザーの受信装置にコンテンツの付加情報を提供するコンテンツ付加情報提供システムであって、
前記受信装置と、
前記所定のネットワークを介して前記受信装置と接続する付加情報配信サーバと、
前記所定のネットワークを介して前記受信装置と接続して、前記コンテンツを前記受信装置へと配信するコンテンツ配信部と、を備え、
前記付加情報配信サーバは、
前記所定のネットワークを介して前記受信装置と接続して、前記コンテンツの任意のシーン毎に対応していて簡易情報及び詳細情報を含む前記付加情報を、前記コンテンツ配信部による前記コンテンツの配信から独立して前記受信装置へと配信する付加情報配信部と、
前記受信装置へと配信される前記コンテンツの前記付加情報の内、前記受信装置の前記ユーザーに固有のフィルタパラメータにマッチングする前記付加情報を抽出付加情報として抽出するフィルタリング処理部と、を備え、
前記受信装置は、前記コンテンツ配信部から配信される前記コンテンツを出力させるコンテンツ出力制御部と、
前記フィルタリング処理部で抽出された前記抽出付加情報を付加情報表示画面に表示させる付加情報表示制御部と、
前記ユーザーによる前記フィルタパラメータの設定を可能にするパラメータ設定部と、を備え、
前記受信装置は、前記パラメータ設定部において前記ユーザーにより設定された前記フィルタパラメータを前記付加情報配信サーバへと送信し、
前記付加情報配信サーバは、前記受信装置から送信された前記フィルタパラメータを前記フィルタリング処理部で用いると共に、前記フィルタリング処理部で抽出された前記抽出付加情報を前記受信装置へと送信するように構成され、
前記付加情報表示制御部は、前記フィルタリング処理部で抽出された１つ以上の前記抽出付加情報の前記簡易情報を時系列順に並べて前記付加情報表示画面におけるタイムライン表示領域に簡易表示させていて、更に、前記コンテンツ出力制御部による前記コンテンツの所定のシーンの出力に同期して、該所定のシーンに対応する所定の抽出付加情報の前記簡易情報を前記タイムライン表示領域上の現在位置に簡易表示させると共に、該所定の抽出付加情報の前記詳細情報を前記付加情報表示画面における詳細情報表示領域に詳細表示させることを特徴とするコンテンツ付加情報提供システム。
【請求項２】
前記付加情報配信サーバは、前記ユーザーのユーザー情報に基づいて、前記ユーザーへと推薦する前記フィルタパラメータを推定するパラメータ推定部を備え、
前記付加情報配信サーバは、前記パラメータ推定部により推定された前記フィルタパラメータを前記フィルタリング処理部で用いると共に、前記フィルタリング処理部で抽出された前記抽出付加情報を前記受信装置へと送信するように構成されることを特徴とする請求項１に記載のコンテンツ付加情報提供システム。
【発明の詳細な説明】
【技術分野】
【０００１】
本発明は、コンテンツの配信に伴ってコンテンツの付加情報（メタ情報）を提供するコンテンツ付加情報提供システムに関する。
【背景技術】
【０００２】
近年、放送番組等のコンテンツは、放送波によってリアルタイムに送信されるものだけでなく、コンテンツ配信サーバからビデオ・オンデマンドでインターネット配信されるものがある。コンテンツ配信サーバは、コンテンツに番組情報等の付加情報を重畳して配信し、コンテンツを受信したパーソナルコンピュータ等の受信装置では、コンテンツを再生すると共に、付加情報を参照することができる。
【０００３】
例えば、特許文献１に記載のコンテンツの配信方法では、情報配信サーバがコンテンツをクライアント装置へと配信していて、このコンテンツには、コンテンツの内容の特徴を記述したメタ情報が作成されている。
【先行技術文献】
【特許文献】
【０００４】
【特許文献１】特開２００４−２６５２６３号公報
【発明の概要】
【発明が解決しようとする課題】
【０００５】
しかしながら、通常、コンテンツと共に配信される付加情報は、そのコンテンツの放送局等の作成者によってコンテンツの全体的な情報を示すものに過ぎず、視聴者は、コンテンツのシーン毎に対応した詳細な情報を知ることができない。
【０００６】
また、視聴者は、興味のある人物、商品等の対象物がコンテンツの所定のシーンに登場した場合には、その所定のシーンを繰り返し再生することになる。また、視聴者は、その対象物に関する情報を取得するために、コンテンツの視聴とは別にインターネット検索等の検索手段を取ることになるため手間が掛かる。
【０００７】
更に、コンテンツにおいて人物、商品等の対象物の提供者は、その対象物について視聴者に興味を持たせることを望むことが多いが、コンテンツの全体的な情報だけでは対象物の詳細な情報を視聴者に与えることができない。従って、対象物の提供者は、コンテンツでの対象物の提供以外に、その対象物を紹介する手段を取らなければならず、コスト及び負担が大きくなる。
【０００８】
また、コンテンツには、非常に多くの人物や商品等の対象物が登場することがあり、これらの対象物の情報量は多大になってしまう。このような多量の情報をそのまま視聴者に提供すると、視聴者に情報の選り分けを強いることになり、視聴者の負担が大きくなる。
【０００９】
そこで、本発明は上記事情を考慮し、コンテンツの提供と共に、コンテンツの各シーンに登場する対象物の詳細な情報を限定して提供することにより、情報提供のコスト及び負担を軽減すると共に、視聴者に十分な情報を提供することを目的とする。
【課題を解決するための手段】
【００１０】
上記課題を解決するために、本発明の第１のコンテンツ付加情報提供システムは、所定のネットワークを介してユーザーの受信装置にコンテンツの付加情報（メタ情報）を提供するコンテンツ付加情報提供システムである。そして、コンテンツ付加情報提供システムは、前記所定のネットワークを介して前記受信装置と接続して、前記コンテンツを前記受信装置へと配信するコンテンツ配信部と、前記所定のネットワークを介して前記受信装置と接続して、前記コンテンツの任意のシーン毎に対応していて簡易情報及び詳細情報を含む前記付加情報を、前記コンテンツ配信部による前記コンテンツの配信から独立して前記受信装置へと配信する付加情報配信部（メタ情報配信部）と、前記ユーザーに固有のフィルタパラメータにマッチングする前記付加情報を抽出付加情報（抽出メタ情報）として抽出するフィルタリング処理部と、を備える。前記受信装置は、前記コンテンツ配信部から配信される前記コンテンツを出力させるコンテンツ出力制御部と、前記フィルタリング処理部で抽出された前記抽出付加情報を付加情報表示画面（メタ情報表示画面）に表示させる付加情報表示制御部（メタ情報表示制御部）と、を備える。そして、前記付加情報表示制御部は、前記フィルタリング処理部で抽出された１つ以上の前記抽出付加情報の前記簡易情報を時系列順に並べて前記付加情報表示画面におけるタイムライン表示領域に簡易表示させていて、更に、前記コンテンツ出力制御部による前記コンテンツの所定のシーンの出力に同期して、該所定のシーンに対応する所定の抽出付加情報の前記簡易情報を前記タイムライン表示領域上の現在位置に簡易表示させると共に、該所定の抽出付加情報の前記詳細情報を前記付加情報表示画面における詳細情報表示領域に詳細表示させることを特徴とする。
【００１１】
本発明の第１のコンテンツ付加情報提供システムによれば、コンテンツ配信サーバ等のコンテンツ配信部でコンテンツを提供すると共に、メタ情報配信サーバ等の付加情報配信部で、コンテンツの全体的な情報に加えて、コンテンツの各シーンに登場する対象物の詳細な情報を提供することができる。このため、対象物の提供者は、簡易な手段で対象物の情報提供をすることができるので、情報提供のコスト及び負担を軽減することができる。また、視聴者は、受信装置でコンテンツを視聴しながら、メタ情報表示画面等の付加情報表示画面でコンテンツの各シーンの対象物について詳細な情報を取得できるので、視聴者に十分な情報を提供できることになる。このとき、付加情報表示画面には、ユーザー又は受信装置に固有のフィルタパラメータにマッチングする抽出付加情報だけが表示されるので、ユーザーに不必要な付加情報が表示されない。従って、コンテンツに含まれる多大な情報量を自動的に限定してユーザーに提供することができ、ユーザーは、必要な抽出付加情報だけを視聴することができる。
【００１２】
上記課題を解決するために、本発明の第２のコンテンツ付加情報提供システムは、上述した本発明の第１のコンテンツ付加情報提供システムにおいて、前記受信装置は、前記ユーザーによる前記フィルタパラメータの設定を可能にするパラメータ設定部を備え、前記付加情報配信部及び前記フィルタリング処理部は、付加情報配信サーバ（メタ情報配信サーバ）に備えられ、前記受信装置は、前記パラメータ設定部において前記ユーザーにより設定された前記フィルタパラメータを前記付加情報配信サーバへと送信し、前記付加情報配信サーバは、前記受信装置から送信された前記フィルタパラメータを前記フィルタリング処理部で用いると共に、前記フィルタリング処理部で抽出された前記抽出付加情報を前記受信装置へと送信するように構成されることを特徴とする。
【００１３】
本発明の第２のコンテンツ付加情報提供システムによれば、ユーザーは情報の取得を所望するフィルタパラメータの設定をすることができ、コンテンツに含まれる多大な情報量を、ユーザーの希望に合わせて自動的に限定してユーザーに提供することができる。従って、付加情報表示画面には、ユーザーが所望しないメタ情報が表示されず、ユーザーは、所望の抽出付加情報だけを視聴することができる。また、受信装置毎にフィルタリング処理部を備える必要がなく、受信装置の負担を軽減することができる。また、統括的な付加情報配信サーバがフィルタリング処理部を備えるため、フィルタリング処理部の更新やメンテナンス等に即座に対応することが可能となる。更に、付加情報配信サーバは、限定された抽出付加情報を受信装置へと送信するため、付加情報配信サーバと受信装置との間で付加情報の送受信に掛かる手間を軽減することができる。
【００１４】
上記課題を解決するために、本発明の第３のコンテンツ付加情報提供システムは、上述した本発明の第１又は第２のコンテンツ付加情報提供システムにおいて、前記付加情報配信部及び前記フィルタリング処理部は、付加情報配信サーバに備えられ、前記付加情報配信サーバは、前記ユーザーのユーザー情報に基づいて、前記ユーザーへと推薦する前記フィルタパラメータを推定するパラメータ推定部を備え、前記付加情報配信サーバは、前記パラメータ推定部により推定された前記フィルタパラメータを前記フィルタリング処理部で用いると共に、前記フィルタリング処理部で抽出された前記抽出付加情報を前記受信装置へと送信するように構成される。
【００１５】
本発明の第３のコンテンツ付加情報提供システムによれば、付加情報配信サーバと受信装置との間でフィルタパラメータの送受信に掛かる手間を省くことができる。また、受信装置毎にパラメータ推定部及びフィルタリング処理部を備える必要がなく、受信装置の負担を軽減することができる。更に、統括的な付加情報配信サーバがパラメータ推定部及びフィルタリング処理部を備えるため、パラメータ推定部及びフィルタリング処理部の更新やメンテナンス等に即座に対応することが可能となる。また、付加情報配信サーバは、限定された抽出付加情報を受信装置へと送信するため、付加情報配信サーバと受信装置との間で付加情報の送受信に掛かる手間を軽減することができる。
【発明の効果】
【００１６】
本発明によれば、コンテンツの提供と共に、コンテンツの各シーンに登場する対象物の詳細な情報を限定して提供することにより、情報提供のコスト及び負担を軽減すると共に、視聴者に十分な情報を提供することが可能となる。
【図面の簡単な説明】
【００１７】
【図１】本発明の一実施形態に係るコンテンツ付加情報提供システムの概要を示すブロック図である。
【図２】本発明の一実施形態に係るコンテンツ付加情報提供システムにおける受信装置で表示されるコンテンツ再生画面及びメタ情報表示画面を示す正面図である。
【図３】本発明の一実施形態に係るコンテンツ付加情報提供システムの動作を示すタイミングチャートである。
【図４】本発明の一実施形態に係るコンテンツ付加情報提供システムにおいて、メタ情報表示画面に表示されるパラメータ設定画面の例を示す平面図である。
【図５】本発明の一実施形態に係るコンテンツ付加情報提供システムにおいて、パラメータ設定の概要を示す説明図である。
【発明を実施するための形態】
【００１８】
先ず、図１を参照しながら、コンテンツの配信に伴ってコンテンツの付加情報（メタ情報）を提供するコンテンツ付加情報提供システム１の構成を説明する。
【００１９】
図１に示されるように、コンテンツ付加情報提供システム１では、コンテンツ配信サーバ２及びメタ情報配信サーバ３（付加情報配信サーバ）が、インターネット等の所定のネットワーク４を介して受信装置５、６と接続してコンテンツ及びメタ情報をそれぞれ配信するように構成されている。更に、メタ情報配信サーバ３は、電子商取引（ＥＣ：Ｅｌｅｃｔｒｉｃ  Ｃｏｍｍｅｒｃｅ）サーバ７や広告配信サーバ８からＥＣサイトや広告主サイトへのリンク情報を取得することができる。
【００２０】
なお、図１では、コンテンツ付加情報提供システム１において、コンテンツ配信サーバ２、メタ情報配信サーバ３、ＥＣサーバ７及び広告配信サーバ８がそれぞれ１つずつ備えられ、２つの受信装置５、６が備えられる例を示しているが、これらは必要に応じて複数備えられてよい。また、本実施形態では、コンテンツ配信部１０を備えたコンテンツ配信サーバ２とメタ情報配信部１２を備えたメタ情報配信サーバ３とが、それぞれ独立したサーバとして構成されているが、コンテンツ配信部１０によるコンテンツの配信と、メタ情報配信部１２によるメタ情報の配信とがそれぞれ独立して行われるように構成されていれば、コンテンツ配信部１０とメタ情報配信部１２とは１つのサーバに備えられて構成されてもよい。なお、コンテンツ配信サーバ２の事業者と、メタ情報配信サーバ３の事業者とは同じ事業者でもよく、異なる事業者でもよい。
【００２１】
次に、コンテンツ配信サーバ２について詳細に説明する。
【００２２】
コンテンツ配信サーバ２は、コンテンツを配信するように構成され、例えば、コンテンツ配信部１０と、コンテンツ記憶部１１とを備える。コンテンツ記憶部１１は、コンテンツ配信部１０によって配信されるコンテンツを予め記憶している。
【００２３】
コンテンツ配信部１０は、本実施形態では、受信装置５、６からのコンテンツ配信要求に応じて、コンテンツ記憶部１１から放送番組の動画のコンテンツを取得すると共に、プログレッシブダウンロード方式を用いて受信装置５、６へとオンデマンド配信するように構成される。この放送番組は、コマーシャルメッセージを含んでいてもよい。
【００２４】
なお、コンテンツ配信部１０は、放送番組以外の他の動画や音楽等の他のコンテンツを配信するものでもよく、ストリーミング等の他の方式を用いてもよく、リアルタイム配信を行うものでもよい。
【００２５】
また、コンテンツ配信部１０は、外部のユーザー管理装置９と連携するための管理用ＡＰＩ（Ａｐｐｌｉｃａｔｉｏｎ  Ｐｒｏｇｒａｍｉｎｇ  Ｉｎｔｅｒｆａｃｅ）を備えている。ユーザー管理装置９は、所定のユーザー又は所定の受信装置５、６にコンテンツの視聴権限が付与されているか否かを判定して、その判定結果に基づいてユーザー又は受信装置５、６の視聴権限の認証を行う機能を有する。例えば、コンテンツ配信部１０は、受信装置５、６又はユーザーの識別情報（ＩＤ：Ｉｄｅｎｔｉｆｉｃａｔｉｏｎ）を示すログイン要求を受信装置５、６から受信すると、管理用ＡＰＩを介してユーザー管理装置９に接続して、このログイン要求に基づくコンテンツの視聴権限の判定及び認証をユーザー管理装置９に行わせる。そして、コンテンツ配信部１０は、ユーザー管理装置９から認証結果を受信して受信装置５、６へと返信する。コンテンツ配信部１０は、視聴権限を有するユーザー又は受信装置５、６からコンテンツ配信要求があった場合にのみコンテンツを配信するように構成されていてもよい。なお、複数のコンテンツについては、全てのコンテンツに対して一括して視聴権限を付与したり、一部のコンテンツに対して視聴権限を付与するように制御することもでき、また、年齢等のユーザー情報に基づいて視聴権限を制限することもできる。
【００２６】
次に、メタ情報配信サーバ３について詳細に説明する。
【００２７】
メタ情報配信サーバ３は、コンテンツのメタ情報を配信するように構成され、例えば、メタ情報配信部（付加情報配信部）１２と、メタ情報記憶部１３とを備える。メタ情報記憶部１３は、メタ情報配信部１２によって配信されるメタ情報を、対応するコンテンツと関連付けて予め記憶している。また、メタ情報配信サーバ３は、ユーザー情報記憶部１４、パラメータ記憶部１５、フィルタリング処理部１６、パラメータ設定入力部１７、パラメータカスタマイズ入力部１８及びパラメータ推定部１９を備える。
【００２８】
メタ情報は、例えば、コンテンツの放送番組の全体的な概要を示す全体メタ情報（全体情報）と、コンテンツの任意のシーン毎に対応したシーン別メタ情報（シーン別情報）とを有する。メタ情報は、テキストデータで構成されていて、全体メタ情報を初めに格納すると共に、シーン別メタ情報を時系列で格納している。シーン別情報は、コンテンツの全再生時間に対する任意のシーンの再生時間に関連付けられてメタ情報記憶部１３に記憶されている。シーン別情報が関連付けられる再生時間は、瞬間的な時間でもよいが、所定の範囲の時間であるとよく、また、一の再生時間に対して複数のシーン別情報が関連付けられていてもよい。
【００２９】
全体情報は、コンテンツの放送局によって付加される情報であり、例えば、リアルタイムでデータ放送されるときに放送波に重畳される情報である。全体情報は、例えば、コンテンツの放送番組の放送局名、番組名、放送開始・終了時間、番組内容や主要出演人物を示す情報や、放送番組を紹介するホームページのリンク情報等を含む。
【００３０】
シーン別情報は、コンテンツの放送局又は第三者によるコンテンツの視聴及び解析等の処理によってシーン毎に抽出された情報である。シーン別情報は、例えば、コンテンツの放送番組の所定のシーンに登場する人物、キャラクター、商品、料理、楽曲、サービス、店舗、施設、企業、団体、イベント等の対象物についての簡易情報及び詳細情報を含む。シーン別情報は、シーンに実際に登場する対象物だけでなく、話題に上る対象物についての情報でもよい。
【００３１】
シーン別情報の簡易情報には、例えば、名前等の対象物を判断できる画像、テキスト等の情報がある。
【００３２】
シーン別情報の詳細情報には、例えば、対象物の紹介情報がある。また、シーン別情報の詳細情報には、例えば、商品、楽曲やサービスを購入するための販売先を示すＥＣサーバ７のＥＣサイトへのリンク情報や広告配信サーバ８から配信される広告主サイトへのリンク情報、その他の上記したシーンに登場するものを紹介するホームページのリンク情報がある。
【００３３】
また、シーン別情報の詳細情報には、店舗、企業やイベントへの問合せ先を示す電話番号等の問合せ情報がある。また、シーン別情報の詳細情報には、料理の調理手段方法や、シーンに登場するその他の創作物の創作手段、健康や家事等の生活情報のノウハウの実践手段を示す情報がある。
【００３４】
メタ情報のシーン別情報は、コンテンツに登場するドラマ、映画、スポーツ、音楽、人物（俳優、選手、歌手等）、キャラクター、場所、ショップ、施設、地域、乗物（車、バイク、自転車、鉄道等）、趣味、グルメ、商品、ファッション、健康、美容、不動産、企業、トリビア、ニュース等の様々なカテゴリの内、１つ以上のカテゴリに分類される。本実施形態では、これらのカテゴリがフィルタパラメータとして用いられる。そして、所定の１つ以上のフィルタパラメータを用いて、メタ情報に含まれる複数のシーン別情報をフィルタリング処理することにより、当該所定の１つ以上のフィルタパラメータにマッチングする抽出メタ情報（抽出付加情報）が抽出される。
【００３５】
メタ情報配信部１２は、本実施形態では、受信装置５、６から呼び出し可能なメタ情報配信ＡＰＩ（Ａｐｐｌｉｃａｔｉｏｎ  Ｐｒｏｇｒａｍｉｎｇ  Ｉｎｔｅｒｆａｃｅ）を備えて、受信装置５、６から所定のコンテンツを指定したメタ情報配信ＡＰＩの呼び出しがあった場合に、その所定のコンテンツに関連するメタ情報をメタ情報記憶部１３から取得すると共に、ＷｅｂＳｏｃｋｅｔ方式を用いて受信装置５、６へとプッシュ配信するように構成される。メタ情報配信ＡＰＩは、受信装置５、６にインストールされるプログラムやアプリケーション、又は受信装置５、６に提供されるウェブサイトを構成するＨＴＭＬやスタイルシート若しくはプログラムの何れに組み込まれるＡＰＩでもよい。メタ情報配信サーバ３は、アプリケーションの作成事業者やウェブサイトの運営・作成事業者、あるいは他の同業者のコンテンツ配信サーバ２にメタ情報配信ＡＰＩを提供する。メタ情報配信部１２は、上記のようなメタ情報配信ＡＰＩの呼び出し、あるいは、所定のコンテンツを指定したメタ情報配信コマンドを受信装置５、６から受けることで、配信対象のコンテンツと配信先の受信装置５、６（ユーザー）とを認識することができる。メタ情報配信部１２は、配信先の受信装置５、６のフィルタモードがオフに設定されていれば、配信対象のコンテンツに関連する全てのメタ情報を配信し、配信先の受信装置５、６のフィルタモードがオンに設定されていれば、配信対象のコンテンツに関連するメタ情報の内、全体情報と、フィルタリング処理部１６で抽出された抽出メタ情報とを配信する。メタ情報配信部１２は、受信装置５、６のフィルタモードについて、メタ情報配信ＡＰＩやメタ情報配信コマンドのプロパティとして受信してもよく、あるいは、これらとは別に受信してもよい。
【００３６】
また、メタ情報配信部１２は、外部のユーザー管理装置９と連携するための管理用ＡＰＩを備えている。ユーザー管理装置９は、所定のユーザー又は所定の受信装置５、６にメタ情報の使用権限が付与されているか否かを判定して、その判定結果に基づいてユーザー又は受信装置５、６の使用権限の認証を行う機能を有する。例えば、メタ情報配信部１２は、受信装置５、６又はユーザーのＩＤを示すログイン要求を受信装置５、６から受信すると、管理用ＡＰＩを介してユーザー管理装置９に接続して、このログイン要求に基づくメタ情報の使用権限の判定及び認証をユーザー管理装置９に行わせる。そして、コンテンツ配信部１０は、ユーザー管理装置９から認証結果を受信して受信装置５、６へと返信する。メタ情報配信部１２は、使用権限を有するユーザー又は受信装置５、６からメタ情報配信ＡＰＩの呼び出しがあった場合にのみメタ情報を配信するように構成されていてもよい。なお、複数のメタ情報については、全てのメタ情報に対して一括して使用権限を付与したり、一部のメタ情報に対して使用権限を付与するように制御することもでき、また、年齢等のユーザー情報に基づいて使用権限を制限することもできる。
【００３７】
また、メタ情報配信サーバ３は、後述するように受信装置５、６におけるリンク情報のアクセス操作やシーン別情報の選択操作についての操作情報を受信装置５、６のメタ情報表示制御部２３、３１から受信すると、この操作情報を受信装置５、６又はそのユーザーについてのログ情報としてログ情報記憶部（図示せず）に記憶する。
【００３８】
ユーザー情報記憶部１４は、コンテンツ付加情報提供システム１における受信装置５、６の各ユーザーに固有のユーザー情報を記憶する。ユーザー情報には、例えば、性別、年齢、出身地、職業、趣味等の様々な情報がある。コンテンツ付加情報提供システム１では、例えば、メタ情報の利用を所望するユーザーが受信装置５、６を用いてネットワーク４を介してメタ情報配信サーバ３に対してユーザー情報の初期登録や編集を行うときに、ユーザー情報がユーザー情報記憶部１４に記憶される。
【００３９】
パラメータ記憶部１５は、フィルタリング処理部１６で利用されるフィルタパラメータを記憶する。パラメータ記憶部１５は、コンテンツの提供者や作成者がコンテンツをコンテンツ記憶部１１に記憶（登録）した際に、そのコンテンツに固有の初期状態のフィルタパラメータを自動的に作成して記憶する。また、パラメータ記憶部１５は、コンテンツの提供者や作成者、又はメタ情報の関係者（コンテンツに登場する人や企業、ＥＣサーバ７や広告配信サーバ８の運営者等）によってコンテンツ毎にカスタマイズされるフィルタパラメータを記憶する。例えば、パラメータ記憶部１５は、コンテンツ毎に、全てのフィルタパラメータを記憶すると共に、各フィルタパラメータについてフィルタリング処理部１６による利用やパラメータ設定部２６による設定を可能にするか否かのオン／オフの第１フラグを記憶する。また、パラメータ記憶部１５は、ユーザーに固有のフィルタパラメータを記憶する。例えば、パラメータ記憶部１５は、ユーザー毎に、全てのフィルタパラメータを記憶すると共に、各フィルタパラメータについてフィルタリング処理部１６で利用するか否かのオン／オフの第２フラグを記憶する。
【００４０】
フィルタリング処理部１６は、メタ情報配信部１２による配信対象のコンテンツに関連するメタ情報に含まれるシーン別情報（付加情報）の内、フィルタパラメータにマッチングするものを抽出メタ情報（抽出付加情報）として抽出するフィルタリング処理を行う。例えば、フィルタリング処理部１６は、配信対象のコンテンツについて第１フラグがオンで、且つ、配信先のユーザー又は受信装置５、６について第２フラグがオンであるフィルタパラメータを用いてフィルタリング処理を行う。
【００４１】
パラメータ設定入力部１７は、ユーザーに固有のフィルタパラメータについて、上記のようにログインした受信装置５、６からの設定を可能にするように構成される。例えば、パラメータ設定入力部１７は、受信装置５、６から呼び出し可能なパラメータ設定入力ＡＰＩを備えて、フィルタパラメータの設定を伴うパラメータ設定入力ＡＰＩの呼び出しがあった場合に、その呼び出しに基づいて、パラメータ記憶部１５に記憶されたフィルタパラメータの設定を行う。あるいは、パラメータ設定入力部１７は、フィルタパラメータの設定が可能なウェブサイトを受信装置５、６に提供してもよく、メール等の他の手段によるフィルタパラメータの設定を受け付けてもよい。パラメータ設定入力ＡＰＩは、受信装置５、６にインストールされるプログラムやアプリケーション、又は受信装置５、６に提供されるウェブサイトを構成するＨＴＭＬやスタイルシート若しくはプログラムの何れに組み込まれるＡＰＩでもよい。メタ情報配信サーバ３は、アプリケーションの作成事業者やウェブサイトの運営・作成事業者、あるいは他の同業者のコンテンツ配信サーバ２にパラメータ設定入力ＡＰＩを提供する。
【００４２】
パラメータカスタマイズ入力部１８は、コンテンツに固有のフィルタパラメータについて、コンテンツの提供者や作成者又はメタ情報の関係者からのカスタマイズを可能にするように構成される。パラメータカスタマイズ入力部１８は、コンテンツの提供者や作成者又はメタ情報の関係者（提供者等と称する）のＰＣやスマートフォン等の提供者端末２０とネットワーク４を介して接続している。そして、パラメータカスタマイズ入力部１８は、提供者等の識別情報を示すログイン要求を提供者端末２０から受けて、その識別情報を認証すると、ログインした提供者端末２０を用いたフィルタパラメータのカスタマイズを許可する。
【００４３】
例えば、パラメータカスタマイズ入力部１８は、提供者端末２０から呼び出し可能なパラメータカスタマイズ入力ＡＰＩを備えて、フィルタパラメータのカスタマイズを伴うパラメータカスタマイズ入力ＡＰＩの呼び出しがあった場合に、その呼び出しに基づいて、パラメータ記憶部１５に記憶されたフィルタパラメータのカスタマイズを行う。あるいは、パラメータカスタマイズ入力部１８は、フィルタパラメータのカスタマイズが可能なウェブサイトを提供者端末２０に提供してもよく、メール等の他の手段によるフィルタパラメータのカスタマイズを受け付けてもよい。パラメータカスタマイズ入力ＡＰＩは、受信装置５、６にインストールされるプログラムやアプリケーション、又は受信装置５、６に提供されるウェブサイトを構成するＨＴＭＬやスタイルシート若しくはプログラムの何れに組み込まれるＡＰＩでもよい。メタ情報配信サーバ３は、アプリケーションの作成事業者やウェブサイトの運営・作成事業者、あるいは他の同業者のコンテンツ配信サーバ２にパラメータカスタマイズ入力ＡＰＩを提供する。
【００４４】
パラメータ推定部１９は、所定のユーザーについてユーザー情報記憶部１４に記憶されたユーザー情報に基づいて、その所定のユーザーに推薦するフィルタパラメータ（推薦パラメータ）を推定する。例えば、パラメータ推定部１９は、所定のユーザー情報に基づいて協調フィルタリング等の嗜好推測プログラムや推薦システムを用いることで、所定のユーザーへの推薦パラメータを推定する。パラメータ推定部１９は、同様のユーザー情報を有するユーザーの中で多数派のフィルタパラメータを推薦パラメータとして推定してよいが、あるいは、少数派のフィルタパラメータを非推薦パラメータとして推定すると共に、他のフィルタパラメータを推薦パラメータとして推定してもよい。
【００４５】
パラメータ推定部１９による推定結果に応じて、パラメータ記憶部１５に記憶されるユーザーに固有のフィルタパラメータが更新される。例えば、フィルタパラメータの内、推薦パラメータに対応する第２フラグがオンに設定されると共に、他のパラメータの第２フラグがオフに設定される。あるいは、フィルタパラメータの内、非推薦パラメータに対応する第２フラグがオフに設定されると共に、他のパラメータの第２フラグがオンに設定される。
【００４６】
コンテンツ付加情報提供システム１では、例えば、上記のように受信装置５、６を用いてユーザー情報の初期登録が行われたときに、パラメータ推定部１９が自動的にフィルタパラメータの推定を行うと共に、フィルタパラメータの推定結果をパラメータ記憶部１５に初期設定として記憶する。また、パラメータ推定部１９は、受信装置５、６から推薦パラメータの要求を受けた場合にも、同様にして、フィルタパラメータの推定を行うと共に、フィルタパラメータの推定結果をパラメータ記憶部１５に記憶する。
【００４７】
次に、受信装置５、６について詳細に説明する。
【００４８】
受信装置５、６は、パーソナルコンピュータ、タブレット、スマートフォンや携帯電話端末等のように無線又は有線によってネットワーク４に接続可能な端末である。受信装置５、６は、メタ情報のシーン別情報についてメタ情報配信サーバ３でフィルタリング処理を行うか否かのフィルタモードのオンとオフとを切り換えて動作するように構成される。
【００４９】
受信装置５は、コンテンツの動画やメタ情報を表示するために１つの表示部２１を設けた１つの表示端末として構成されていて、コンテンツ出力制御部２２、メタ情報表示制御部２３（付加情報表示制御部）及び記憶部２４を備える。また、受信装置５は、パラメータ一時記憶部２５及びパラメータ設定部２６を備える。
【００５０】
受信装置６は、コンテンツの動画を表示する表示部２７を設けた第１表示端末６ａと、メタ情報を表示する表示部２８を設けた第２表示端末６ｂとからなり、第１表示端末６ａ及び第２表示端末６ｂは、赤外線、高周波の電磁波（ＲＦ）、Ｂｌｕｅｔｏｏｔｈ（登録商標）やＷｉＦｉ等の無線によって通信可能に接続される。第１表示端末６ａはコンテンツ出力制御部２９及び記憶部３０を備え、第２表示端末６ｂはメタ情報表示制御部３１（付加情報表示制御部）及び記憶部３２を備える。また、受信装置６の第２表示端末６ｂは、受信装置５と同様に、パラメータ記憶部（図示せず）及びパラメータ設定部（図示せず）を備える。
【００５１】
なお、コンテンツ付加情報提供システム１は、受信装置５及び受信装置６の何れを適用することもできる。
【００５２】
表示部２１、表示部２７及び表示部２８はそれぞれ同様に構成されるため、以下では表示部２１について説明し、表示部２７及び表示部２８の説明は省略する。また、コンテンツ出力制御部２２とコンテンツ出力制御部２９とはそれぞれ同様に構成され、メタ情報表示制御部２３とメタ情報表示制御部３１とはそれぞれ同様に構成されるため、以下ではコンテンツ出力制御部２２及びメタ情報表示制御部２３について説明し、コンテンツ出力制御部２９及びメタ情報表示制御部３１の説明は省略する。また、記憶部２４と、記憶部３０及び記憶部３２とは同様に構成されるため、以下では記憶部２４について説明し、記憶部３０及び記憶部３２の説明は省略する。また、第２表示端末６ｂのパラメータ記憶部及びパラメータ設定部は、受信装置５のパラメータ一時記憶部２５及びパラメータ設定部２６と同様に構成されるため、以下ではこれらの図示及び説明を省略する。
【００５３】
以下では、主に受信装置５の各部について詳細に説明する。
【００５４】
表示部２１は、動画や静止画を表示可能な表示器（ディスプレイ）であって、液晶や有機エレクトロルミネッセンス（有機ＥＬ）、発光ダイオード（ＬＥＤ）等の何れの表示デバイスを利用して構成されてもよい。
【００５５】
コンテンツ出力制御部２２は、受信装置５で実行されるプログラムやアプリケーション等のソフトウェアであり、コンテンツ配信サーバ２との通信によってコンテンツを取得すると共に、取得したコンテンツを表示部２１や音声出力部（図示せず）によって出力するように制御する。コンテンツ出力制御部２２は、自身がコンテンツを出力するアプリケーションとして構成されてもよく、受信装置５のブラウザその他のアプリケーションを利用してコンテンツを出力させるように構成されてもよい。
【００５６】
例えば、コンテンツ出力制御部２２は、視聴するコンテンツを選択するためのコンテンツ選択画面（図示せず）とコンテンツの動画を再生するためのコンテンツ再生画面４０（図２参照）とを切り換えて表示部２１に表示する。即ち、コンテンツ出力制御部２２は、コンテンツ選択画面及びコンテンツ再生画面４０で後述の表示が行われるように表示部２１を制御する。
【００５７】
コンテンツ選択画面やコンテンツ再生画面４０は、コンテンツの視聴権限の認証に係るログイン操作用のログイン画面（図示せず）を表示（例えば、ポップアップ表示）させるためのログインボタン４１を備えるとよい。このログイン画面を介したログイン操作では、コンテンツ出力制御部２２は、受信装置５又はユーザーのＩＤを示すログイン要求をコンテンツ配信サーバ２へと送信する。コンテンツ出力制御部２２は、例えば、初期画面としてコンテンツ選択画面を表示部２１に表示していて、ログイン操作によって視聴権限が認証された場合に、コンテンツ選択画面で選択されたコンテンツについてのコンテンツ再生画面４０を表示部２１に表示する。あるいは、コンテンツ出力制御部２２は、視聴権限が認証されたか否かに拘らず、コンテンツ選択画面でコンテンツが選択された場合にコンテンツ再生画面４０を表示部２１に表示して、視聴権限が認証された場合に、コンテンツ配信要求の送信やコンテンツの再生を許可するようにしてもよい。
【００５８】
コンテンツ出力制御部２２は、表示部２１のコンテンツ選択画面でのコンテンツの選択（図３のステップＳ１０１）に応じて、このコンテンツを指定してコンテンツ配信要求をコンテンツ配信サーバ２へと送信する（図３のステップＳ１０２）と共に、表示部２１をコンテンツ再生画面４０へと切り換える。そして、コンテンツ出力制御部２２は、このコンテンツをプログレッシブダウンロード方式でコンテンツ配信サーバ２から受信する（図３のステップＳ１０３）。また、コンテンツ出力制御部２２は、受信したコンテンツを記憶部２４に記憶し、表示部２１のコンテンツ再生画面４０や音声出力部に対してコンテンツを出力させる（図３のステップＳ１０４）。更に、コンテンツ出力制御部２２は、上記のコンテンツ配信要求の際、又はコンテンツの出力の際に、そのコンテンツを指定して出力開始通知をメタ情報表示制御部３１へと送信する。
【００５９】
コンテンツ再生画面４０は、図２に示されるように、コンテンツのタイトルを表示するタイトル表示４２と、コンテンツの動画を表示するコンテンツ表示領域４３と、コンテンツの再生及び一時停止を操作するための再生ボタン４４と、コンテンツの再生位置（再生時間）を変更するためのシークバー４５と、コンテンツの再生時間を表示する再生時間表示４６と、コンテンツの出力音量を変更するための音量変更ボタン４７と、コンテンツ表示領域４３のサイズを変更するためのサイズ変更ボタン４８と、を有する。
【００６０】
なお、コンテンツ出力制御部２２は、コンテンツ再生画面４０における再生ボタン４４による再生操作や、シークバー４５による再生位置変更操作に応じて、コンテンツの再生開始時間が変更された場合、その再生開始時間に対応したコンテンツのシーンを記憶部２４から取得して、表示部２１のコンテンツ再生画面４０や音声出力部に対して取得したシーンからのコンテンツ出力を指示する。このとき、コンテンツ出力制御部２２は、そのコンテンツ及び変更された再生開始時間を指定して出力時間変更通知をメタ情報表示制御部２３へと送信する。また、コンテンツ出力制御部２２は、コンテンツ再生画面４０におけるコンテンツの一時停止操作や停止操作に応じて、出力停止通知をメタ情報表示制御部２３へと送信する。
【００６１】
メタ情報表示制御部２３は、受信装置５で実行されるプログラムやアプリケーション等のソフトウェアであり、メタ情報配信サーバ３との通信によってメタ情報を取得すると共に、取得したメタ情報を表示部２１によって表示するように制御する。メタ情報表示制御部２３は、自身がメタ情報を表示するアプリケーションとして構成されてもよく、受信装置５のブラウザその他のアプリケーションを利用してメタ情報を表示させるように構成されてもよい。
【００６２】
例えば、メタ情報表示制御部２３は、メタ情報を表示するためのメタ情報表示画面５０（付加情報表示画面）（図２参照）を表示部２１に表示する。即ち、メタ情報表示制御部２３は、メタ情報表示画面５０で後述の表示が行われるように表示部２１を制御する。
【００６３】
メタ情報表示制御部２３は、コンテンツ出力制御部２２から出力開始通知を受信すると、メタ情報配信サーバ３のメタ情報配信部１２に対して、出力開始通知が示すコンテンツを指定したメタ情報配信ＡＰＩの呼び出しを行う（図３のステップＳ１０５）。そして、メタ情報表示制御部２３は、コンテンツ出力制御部２２で出力されるコンテンツに関連する全体情報やシーン別情報等のメタ情報をＷｅｂＳｏｃｋｅｔ方式でメタ情報配信サーバ３から受信する（図３のステップＳ１０６）。また、メタ情報表示制御部２３は、受信したメタ情報を記憶部２４に記憶し、表示部２１のメタ情報表示画面５０のタイムライン表示領域５６（図２参照）等に対してメタ情報を表示させる（図３のステップＳ１０７）。このとき、フィルタモードがオフの場合には、フィルタパラメータに拘らずメタ情報に含まれるシーン別情報がタイムライン表示領域５６に表示されるが、フィルタモードがオンの場合には、メタ情報に含まれるシーン別情報の内、メタ情報配信サーバ３のフィルタリング処理部１６によって抽出メタ情報（抽出付加情報）として抽出されたシーン別情報がタイムライン表示領域５６に表示される。
【００６４】
なお、メタ情報表示制御部２３は、コンテンツ出力制御部２２から出力時間変更通知を受信すると、コンテンツ出力制御部２２によるコンテンツの出力に同期して、表示部２１のメタ情報表示画面５０のタイムライン表示領域５６（図２参照）におけるメタ情報の表示を更新する。例えば、メタ情報表示制御部２３は、この出力時間変更通知が示すコンテンツの再生開始時間以前のメタ情報を記憶部２４から取得して、表示部２１のメタ情報表示画面５０のタイムライン表示領域５６等に対して取得したメタ情報を表示させる。この場合も、フィルタモードがオンの場合には、メタ情報配信サーバ３のフィルタリング処理部１６によって抽出メタ情報（抽出付加情報）として抽出されたシーン別情報がタイムライン表示領域５６に表示される。
【００６５】
また、メタ情報表示制御部２３は、コンテンツ出力制御部２２に対してコンテンツの再生、一時停止、停止、早送り及び巻き戻し等の出力操作を指示するリンク操作部（図示せず）を備える。なお、受信装置６の第２表示端末６ｂに備わるメタ情報表示制御部３１は、リンク操作部がコンテンツの出力操作を通信によって第１表示端末６ａへ送信するように構成される。
【００６６】
メタ情報表示画面５０は、メタ情報の使用権限の認証に係るログイン操作用のログイン画面（図示せず）を表示（例えば、ポップアップ表示）させるためのログインボタン５１を備えるとよい。このログイン画面を介したログイン操作では、受信装置５とメタ情報配信サーバ３との通信においてメタ情報配信サーバ３がメタ情報の使用権限を判定し、ログインに成功すると、メタ情報配信サーバ３が受信装置５のメタ情報の使用権限を認証する。メタ情報表示制御部２３は、例えば、初期画面ではログインボタン５１を有するツールバー５２のみを表示部２１に表示していて、ログイン操作によって使用権限が認証された場合に、メタ情報表示画面５０の全体を表示部２１に表示する。また、メタ情報表示制御部２３は、ログイン操作によって使用権限が認証された場合に、メタ情報表示画面５０の全体の表示／非表示を切り換える切換ボタン５３をツールバー５２に表示する。
【００６７】
メタ情報表示画面５０は、図２に示されるように、コンテンツ操作部５４と、メタ情報表示ボタン５５と、タイムライン表示領域５６と、詳細情報表示領域５７と、チェックリスト表示ボタン５８と、一括情報選択ボタン５９と、一括情報表示領域６０と、を有する。更に、メタ情報表示画面５０は、フィルタ切換ボタン６７と、パラメータ設定ボタン６８と、を有する。
【００６８】
コンテンツ操作部５４は、コンテンツ出力制御部２２によってコンテンツ再生画面４０に出力されるコンテンツに対する再生、一時停止、停止、早送り及び巻き戻し等の操作を受け付けるものである。コンテンツ操作部５４の操作に応じて、メタ情報表示制御部２３のリンク操作部（図示せず）がコンテンツ出力制御部２２に対してコンテンツの出力制御を指示する。
【００６９】
コンテンツ操作部５４は、例えば、コンテンツ再生画面４０とメタ情報表示画面５０とが一画面で表示される場合には非表示に切り換えられ、別画面で表示される場合（例えば、受信装置５の表示部２１によってマルチウインドウで表示される場合や、第１表示端末６ａ及び第２表示端末６ｂからなる受信装置６によって表示される場合）には表示に切り換えられるように構成されてよい。
【００７０】
メタ情報表示ボタン５５は、コンテンツ出力制御部２２によって出力されるコンテンツの全体情報の表示／非表示を切り換えるもので、例えば、表示に切り換えた場合には、全体情報を表示した全体情報表示画面６５がポップアップ表示され、非表示に切り換えた場合には、この全体情報表示画面６５が閉じられる。なお、メタ情報表示制御部２３は、コンテンツ出力制御部２２側でコンテンツが選択されている場合に、全体情報を表示可能にする。
【００７１】
タイムライン表示領域５６は、コンテンツ出力制御部２２によって出力されるコンテンツの再生時間に対応したシーン別情報６１、６２を時系列順に縦方向に並べて表示する領域である。なお、メタ情報表示制御部２３は、コンテンツ出力制御部２２側でコンテンツが選択されている場合に、シーン別情報６１、６２を表示可能にする。
【００７２】
タイムライン表示領域５６は、コンテンツ出力制御部２２によるコンテンツの所定のシーンの出力に同期して、この所定のシーンに対応する所定のシーン別情報６１、６２の簡易情報を、そのシーンの再生時間と共に現在位置（例えば、最上段）に簡易表示する。タイムライン表示領域５６は、コンテンツの現在の再生時間のシーンに対応するシーン別情報が無い場合でも、それ以前に存在する最新のシーン別情報６１を現在位置（例えば、最上段）に簡易表示すると共に、それ以前のシーン別情報６２を現在位置から繰り下げて順次簡易表示する。タイムライン表示領域５６は、スクロールバー（図示せず）を備えて、複数のシーン別情報６１、６２の内、所定数のシーン別情報６１、６２のみを表示するように構成されてよい。
【００７３】
また、メタ情報表示制御部２３は、タイムライン表示領域５６の現在位置に表示される最新のシーン別情報６１の詳細情報を、そのシーンの再生時間と共に詳細情報表示領域５７でも詳細表示する。
【００７４】
詳細情報表示領域５７は、詳細表示するシーン別情報６１の詳細情報が、対応するシーンの対象物についてのＥＣサイト、広告主サイト又はその他ホームページへのリンク情報を含んでいる場合、そのリンク情報をクリック操作等でのアクセス操作可能に表示する。
【００７５】
メタ情報表示制御部２３は、詳細情報表示領域５７に表示されたリンク情報のアクセス操作があった場合（図３のステップＳ１０８、Ｓ１１０）には、受信装置５がＥＣサーバ７や広告配信サイト８に接続して（図３のステップＳ１０９、Ｓ１１１）、ＥＣサイトや広告主サイトのページを取得して表示部２１に表示させる。また、メタ情報表示制御部２３は、詳細情報表示領域５７におけるリンク情報のアクセス操作がされたとき、このアクセス操作に関する操作情報をメタ情報配信サーバ３へと送信する。この操作情報は、例えば、アクセス操作されたシーン別情報６１の対象物の名前等を含む。メタ情報配信サーバ３では、このような操作情報がパラメータ推定部１９における推薦パラメータの推定に用いられる。
【００７６】
また、メタ情報表示制御部２３は、タイムライン表示領域５６の各シーン別情報６１、６２をクリック等の選択操作を受け付けるように表示していて、選択されたシーン別情報６１、６２を再表示のために記憶部２４におけるチェックリスト登録部（図示せず）に登録する。例えば、タイムライン表示領域５６の各シーン別情報６１、６２には、チェックボックス６３、６４が付されていて、選択及び登録されたシーン別情報６１のチェックボックス６３にはチェックマークが表示され、また、選択及び登録されていないシーン別情報６２のチェックボックス６４には何も表示されない。
【００７７】
メタ情報表示制御部２３は、シーン別情報６１、６２のチェックリスト登録部への選択操作がされたとき、この選択操作に関する操作情報をメタ情報配信サーバ３へと送信する。この操作情報は、例えば、選択操作されたシーン別情報６１、６２の対象物の名前等を含む。メタ情報配信サーバ３では、このような操作情報がパラメータ推定部１９における推薦パラメータの推定に用いられる。
【００７８】
チェックリスト表示ボタン５８は、チェックリスト登録部に登録されたシーン別情報６１、６２のチェックリストの表示／非表示を切り換えるもので、例えば、表示に切り換えた場合には、シーン別情報６１、６２を対応するシーンの再生時間と共に表示したチェックリスト表示画面６６がポップアップ表示され、非表示に切り換えた場合には、このチェックリスト表示画面６６が閉じられる。
【００７９】
一括情報選択ボタン５９は、所定のカテゴリ（テーマ、分野）に沿ったシーン別情報の一括表示を選択するもので、例えば、ファッション、ショップ、場所、トリビア等の、様々なカテゴリ毎に設けられる。所定のカテゴリの一括情報選択ボタン５９が操作されると、コンテンツの全てのシーン別情報の内、又はコンテンツの現在の再生時間以前に存在するシーン別情報の内、所定のカテゴリに対応するシーン別情報を再生時間と共に一括して一括情報表示領域６０に簡易表示する。一括情報表示領域６０で表示されたシーン別情報をクリック操作等で選択することで、そのシーン別情報に対応する再生時間のシーンからコンテンツを再生するように、メタ情報表示制御部２３がリンク操作部を制御してもよい。
【００８０】
フィルタ切換ボタン６７は、フィルタモードのオンとオフとを切り換えるものである。フィルタ切換ボタン６７がオフの場合には、フィルタモードがオフに設定され、フィルタ切換ボタン６７がオンの場合には、フィルタモードがオンに設定される。なお、初期状態では、フィルタ切換ボタン６７はオフに設定される。フィルタ切換ボタン６７は、例えば、押下する毎にオンとオフとが切り替わるように構成される。
【００８１】
パラメータ設定ボタン６８は、ユーザーに固有のフィルタパラメータを設定するもので、パラメータ設定ボタン６８を操作すると、パラメータ設定部２６によってパラメータ設定画面６９がポップアップ表示される。このとき、パラメータ設定部２６は、メタ情報配信サーバ３のパラメータ記憶部１５に記憶された当該受信装置５のユーザーに固有のフィルタパラメータを、メタ情報配信サーバ３から受信し、パラメータ一時記憶部２５に一時的に記憶する。
【００８２】
パラメータ設定画面６９には、図４に示すように、パラメータ一時記憶部２５に記憶されたフィルタパラメータのカテゴリ名７０と各カテゴリ名に対応するチェックボックス７１とが対になって表示され、新規のフィルタパラメータを追加するための追加テーブル７２と追加ボタン７３と削除ボタン７４とが表示され、また、パラメータ推定ボタン７５が表示され、更に、設定ボタン７６とキャンセルボタン７７とが表示される。パラメータ設定画面６９は、設定ボタン７６やキャンセルボタン７７の操作に応じて閉じられる。
【００８３】
所定のフィルタパラメータのカテゴリ名７０に対応するチェックボックス７１をオン又はオフにすることによって当該所定のフィルタパラメータの第２フラグがオン又はオフに仮設定される。仮設定されたフィルタパラメータの第２フラグは、設定ボタン７６を操作することによってパラメータ一時記憶部２５に記憶される一方、キャンセルボタン７７を操作することによってクリアされる。
【００８４】
追加テーブル７２は、カテゴリ以外のフィルタパラメータとして任意のキーワードを入力可能なカラムで構成される。追加テーブル７２のカラムに入力されたキーワードは、追加ボタン７３の操作によってフィルタパラメータとして仮追加され、削除ボタン７４の操作によって仮削除される。仮追加又は仮削除されたフィルタパラメータは、設定ボタン７６を操作することによってパラメータ一時記憶部２５に記憶される一方、キャンセルボタン７７を操作することによってクリアされる。
【００８５】
パラメータ設定画面６９でパラメータ推定ボタン７５が操作されると、受信装置５からメタ情報配信サーバ３へと推薦パラメータの要求が送信され、メタ情報配信サーバ３からフィルタパラメータの推定結果を受信してパラメータ設定画面６９に反映する。
【００８６】
また、受信装置５において、パラメータ一時記憶部２５は、当該受信装置５のユーザーについてメタ情報配信サーバ３のパラメータ記憶部１５に記憶されたフィルタパラメータをフィルタパラメータの設定時に一時的に記憶する。パラメータ一時記憶部２５は、例えば、全てのフィルタパラメータを記憶すると共に、各フィルタパラメータについて否かのオン／オフの第２フラグを記憶する。パラメータ一時記憶部２５は、記憶部２４の一部で構成されていてもよい。
【００８７】
また、パラメータ一時記憶部２５に記憶されるフィルタパラメータは、メタ情報配信サーバ３のパラメータ推定部１９からフィルタパラメータの推定結果を受信したときに更新される。なお、受信装置５では、パラメータ推定部１９による推定結果を利用するか否かを、パラメータ推定ボタン７５等によって選択可能に構成されるとよい。
【００８８】
パラメータ設定部２６は、ユーザーによるフィルタパラメータの設定を可能にするものである。パラメータ設定部２６は、上記したようにフィルタパラメータを設定可能なパラメータ設定画面６９を表示させたり、パラメータ設定画面６９で仮設定されたフィルタパラメータをパラメータ一時記憶部２５に記憶させたりするように構成される。パラメータ設定画面６９は、メタ情報配信サーバ３に提供されるウェブサイトで構成されてもよい。また、パラメータ設定部２６は、上記したパラメータ設定入力ＡＰＩ又は他のプログラムを利用してフィルタパラメータの設定を可能に構成されてもよい。
【００８９】
ＥＣサーバ７は、商品、楽曲やサービス等の対象物をネットワーク４を介して販売するためのＥＣサイトを運営している。ＥＣサーバ７は、このＥＣサイトへのリンク情報をアフィリエイトによってメタ情報配信サーバ３やその他の外部機器に提供していて、リンク情報を介してＥＣサイトへアクセスすると共に商品等の購入が発生した場合に、リンク情報の提供先のメタ情報配信サーバ３等に成功報酬を支払うように構成されていてよい。
【００９０】
広告配信サーバ８は、対象物の広告主サイトへのリンク情報をアフィリエイトによってメタ情報配信サーバ３やその他の外部機器に提供していて、提供したリンク情報を介して広告主サイトへアクセスすると共にアフィリエイトにおける条件を達成した場合に、リンク情報の提供先のメタ情報配信サーバ３等に成功報酬を支払うように構成されていてよい。
【００９１】
本実施形態では、上述のように、所定のネットワーク４を介してユーザーの受信装置５、６にコンテンツのメタ情報（付加情報）を提供するコンテンツ付加情報提供システム１は、コンテンツ配信部１０を備えたコンテンツ配信サーバ２と、メタ情報配信部１２を備えたメタ情報配信サーバ３と、を備える。コンテンツ配信部１０は、所定のネットワーク４を介して受信装置５、６と接続して、コンテンツを受信装置５、６へと配信するように構成されている。メタ情報配信部１２は、所定のネットワーク４を介して受信装置５、６と接続して、コンテンツの任意のシーン毎に対応していて簡易情報及び詳細情報を含むメタ情報を、コンテンツ配信部１０によるコンテンツの配信から独立して受信装置５、６へと配信するように構成されている。メタ情報配信サーバ３は、ユーザーに固有のフィルタパラメータにマッチングするメタ情報（シーン別情報）を抽出メタ情報（抽出付加情報）として抽出するフィルタリング処理部１６を備えていて、コンテンツ配信部１０から配信されるコンテンツを出力させるコンテンツ出力制御部２２、２９と、フィルタリング処理部１６で抽出された抽出メタ情報をメタ情報表示画面５０に表示させるメタ情報表示制御部２３、３１と、を備える。そして、メタ情報表示制御部２３、３１は、フィルタリング処理部１６で抽出された１つ以上の抽出メタ情報の簡易情報を時系列順に並べてメタ情報表示画面５０におけるタイムライン表示領域５６に簡易表示させていて、更に、コンテンツ出力制御部２２、２９によるコンテンツの所定のシーンの出力に同期して、この所定のシーンに対応する所定の抽出メタ情報の簡易情報をタイムライン表示領域５６上の現在位置に簡易表示させると共に、この所定の抽出メタ情報の詳細情報をメタ情報表示画面５０における詳細情報表示領域５７に詳細表示させる。
【００９２】
このような構成により、本実施形態によれば、コンテンツ配信サーバ２のコンテンツ配信部１０でコンテンツを提供すると共に、メタ情報配信サーバ３のメタ情報配信部１２で、コンテンツの全体的な情報に加えて、コンテンツの各シーンに登場する対象物の詳細な情報を提供することができる。このため、対象物の提供者は、簡易な手段で対象物の情報提供をすることができるので、情報提供のコスト及び負担を軽減することができる。また、視聴者は、受信装置５、６でコンテンツを視聴しながら、メタ情報表示画面５０でコンテンツの各シーンの対象物について詳細な情報を取得できるので、視聴者に十分な情報を提供できることになる。このとき、メタ情報表示画面５０には、ユーザーに固有のフィルタパラメータにマッチングする抽出メタ情報（抽出付加情報）だけが表示されるので、ユーザーに不必要なメタ情報が表示されない。従って、コンテンツに含まれる多大な情報量を自動的に限定してユーザーに提供することができ、ユーザーは、必要な抽出メタ情報だけを視聴することができる。
また、本実施形態のコンテンツ付加情報提供システム１では、コンテンツ配信サーバ２とメタ情報配信サーバ３とが同一事業者である場合に、コンテンツ配信サーバ２が配信するコンテンツに対してメタ情報を付加して受信装置５、６に提供することが可能である。更に、コンテンツ配信サーバ２とメタ情報配信サーバ３とが異なる事業者である場合でも、コンテンツ配信サーバ２が配信するコンテンツに対してメタ情報を付加して受信装置５、６に提供することが可能である。また、コンテンツを受信装置５、６に配信するコンテンツ配信サーバ２の事業者と、このコンテンツに付加するメタ情報を配信するメタ情報配信サーバ３の事業者と、メタ情報配信サーバ３から配信されたメタ情報を中間的に受け取って受信装置５、６に配信する事業者と、がそれぞれ異なる場合でも、上記と同様にメタ情報を受信装置５、６に提供することが可能である。
【００９３】
更に、ＥＣサーバ７や広告配信サーバ８等の外部サービスとして提供されるＥＣサイトへのリンク情報や広告主サイトへのリンク情報は、メタ情報のシーン別情報に含まれるので、フィルタパラメータにマッチングするＥＣサイトや広告主サイトだけがメタ情報表示画面５０に提示されることになる。これにより、ＥＣサイトや広告主サイトの過剰な提示を回避することができ、ユーザーの傾向に沿ったＥＣサイトや広告主サイトを提示することができる。従って、メタ情報配信サーバ３のメタ情報の提供と、ＥＣサーバ７や広告配信サーバ８等の外部サービスの提供との連携を、最適化することができる。
【００９４】
また、本実施形態によれば、受信装置５、６は、ユーザーによるフィルタパラメータの設定を可能にするパラメータ設定部２６を備える。メタ情報配信サーバ３は、上記したように、メタ情報配信部１２及びフィルタリング処理部１６を備えている。そして、受信装置５、６は、パラメータ設定部２６においてユーザーにより設定されたフィルタパラメータをメタ情報配信サーバ３へと送信する。そして、メタ情報配信サーバ３は、受信装置５、６から送信されたフィルタパラメータをフィルタリング処理部１６で用いると共に、フィルタリング処理部１６で抽出された抽出メタ情報を受信装置５、６へと送信するように構成される。
【００９５】
このような構成により、ユーザーは情報の取得を所望するフィルタパラメータの設定をすることができ、コンテンツに含まれる多大な情報量を、ユーザーの希望に合わせて自動的に限定してユーザーに提供することができる。従って、メタ情報表示画面５０には、ユーザーが所望しないメタ情報が表示されず、ユーザーは、所望の抽出メタ情報だけを視聴することができる。
【００９６】
また、受信装置５、６毎にフィルタリング処理部１６を備える必要がなく、受信装置５、６の負担を軽減することができる。また、統括的なメタ情報配信サーバ３がフィルタリング処理部１６を備えるため、フィルタリング処理部１６の更新やメンテナンス等に即座に対応することが可能となる。更に、メタ情報配信サーバ３は、限定された抽出メタ情報を受信装置５、６へと送信するため、メタ情報配信サーバ３と受信装置５、６との間でメタ情報の送受信に掛かる手間を軽減することができる。
【００９７】
また、本実施形態によれば、メタ情報配信サーバ３は、上記したように、メタ情報配信部１２及びフィルタリング処理部１６を備えていて、更に、ユーザーのユーザー情報に基づいて、ユーザーへと推薦するフィルタパラメータを推定するパラメータ推定部１９を備える。そして、メタ情報配信サーバ３は、パラメータ推定部１９により推定されたフィルタパラメータをフィルタリング処理部１６で用いると共に、フィルタリング処理部１６で抽出された抽出メタ情報を受信装置５、６へと送信するように構成される。
【００９８】
このような構成により、メタ情報配信サーバ３と受信装置５、６との間でフィルタパラメータの送受信に掛かる手間を省くことができる。また、受信装置５、６毎にパラメータ推定部１９及びフィルタリング処理部１６を備える必要がなく、受信装置５、６の負担を軽減することができる。更に、統括的なメタ情報配信サーバ３がパラメータ推定部１９及びフィルタリング処理部１６を備えるため、パラメータ推定部１９及びフィルタリング処理部１６の更新やメンテナンス等に即座に対応することが可能となる。また、メタ情報配信サーバ３は、限定された抽出メタ情報を受信装置５、６へと送信するため、メタ情報配信サーバ３と受信装置５、６との間でメタ情報の送受信に掛かる手間を軽減することができる。
【００９９】
本実施形態では、タイムライン表示領域５６にシーン別情報６１、６２の簡易情報を表示する構成について説明したが、タイムライン表示領域５６に表示される情報はシーン別情報６１、６２に限定されない。例えば、他の実施形態では、広告コンテンツやその他の情報をタイムライン表示領域５６に表示するように構成しても良い。
【０１００】
また、本実施形態では、外部のユーザー管理装置９がコンテンツの視聴権限やメタ情報の使用権限の判定及び認証を行う構成について説明したが、これに限定されない。例えば、他の実施形態では、コンテンツ配信部１０及びメタ情報配信部１２がそれぞれコンテンツの視聴権限及びメタ情報の使用権限の判定及び認証を行うように構成しても良く、又は、コンテンツ配信部１０及びメタ情報配信部１２の何れか一方がコンテンツの視聴権限及びメタ情報の使用権限の判定及び認証を行うように構成しても良い。あるいは、異なる他の実施形態では、コンテンツ付加情報提供システム１は、コンテンツの視聴権限やメタ情報の使用権限の判定及び認証を行うことなく、コンテンツ及びメタ情報を提供するように構成されてもよい。
【符号の説明】
【０１０１】
１  コンテンツ付加情報提供システム
２  コンテンツ配信サーバ
３  メタ情報配信サーバ（付加情報配信サーバ）
４  ネットワーク
５、６  受信装置
７  電子商取引サーバ
８  広告配信サーバ
９  ユーザー管理装置
１０  コンテンツ配信部
１１  コンテンツ記憶部
１２  メタ情報配信部（付加情報配信部）
１３  メタ情報記憶部
１４  ユーザー情報記憶部
１５  パラメータ記憶部
１６  フィルタリング処理部
１７  パラメータ設定入力部
１８  パラメータカスタマイズ入力部
１９  パラメータ推定部
２０  提供者端末
２１、２７、２８  表示部
２２、２９  コンテンツ出力制御部
２３、３１  メタ情報表示制御部（付加情報表示制御部）
２６  パラメータ設定部
４０  コンテンツ再生画面
４３  コンテンツ表示領域
５０  メタ情報表示画面（付加情報表示画面）
５１  ログインボタン
５３  切換ボタン
５４  コンテンツ操作部
５５  メタ情報表示ボタン
５６  タイムライン表示領域
５７  詳細情報表示領域
５８  チェックリスト表示ボタン
５９  一括情報選択ボタン
６０  一括情報表示領域
６１、６２  シーン別情報
６７  フィルタ切換ボタン
６８  パラメータ設定ボタン
６９  パラメータ設定画面
【図１】
0006353470.tif 000002
【図２】
0006353470.tif 000003
【図３】
0006353470.tif 000004
【図４】
0006353470.tif 000005
【図５】
0006353470.tif 000006